(57)【特許請求の範囲】
【請求項１】
少なくとも長手方向両端部を透光性を有する発光部とした横長のケーシングと、このケーシングの発光部内に収納される発光体と、ケーシングの長手方向両端部を支持する脚体とを備えた警光灯であって、前記脚体を、スピーカを内装したスピーカ収納ケースにて構成し、かつ、前記ケーシングの下面に凹部を設けるとともに、この凹部にスピーカ収納ケースの上部を嵌合させてこのスピーカ収納ケースを前記ケーシングに取付けたことを特徴とする警光灯。
【請求項２】
各スピーカ収納ケース内のスピーカの放音口の向きを一致させたことを特徴とする請求項１の警光灯。
【請求項３】
各スピーカ収納ケース内のスピーカの放音口の向きを相違させたことを特徴とする請求項１の警光灯。
【請求項４】
各スピーカ収納ケースにはそれぞれ２個のスピーカが内装され、スピーカ収納ケース毎に、一方のスピーカの放音口を前向きとするとともに、他方のスピーカの放音口を後向きとしたことを特徴とする請求項１の警光灯。
【請求項５】
少なくとも長手方向両端部が透光性を有する発光部とした横長のケーシングと、このケーシングの発光部内に収納される発光体と、ケーシングの長手方向両端部を支持する脚体とを備えた警光灯であって、前記脚体を、サイレンを内装したサイレン収納ケースにて構成し、かつ、ケーシングの下面に凹部を設けるとともに、この凹部にサイレン収納ケースの上部を嵌合させてこのサイレン収納ケースを前記ケーシングに取付けたことを特徴とする警光灯。
【請求項６】
少なくとも長手方向両端部が透光性を有する発光部とした横長のケーシングと、このケーシングの発光部内に収納される発光体と、ケーシングの長手方向両端部を支持する脚体とを備えた警光灯であって、２個の脚体のうち、一方をスピーカを内装したスピーカ収納ケースにて構成するともに、他方をサイレンを内装したサイレン収納ケースにて構成し、かつ、ケーシングの下面に凹部を設けるとともに、この凹部にスピーカ収納ケースの上部およびサイレン収納ケースの上部をそれぞれ嵌合させて各収納ケースを前記ケーシングに取付けたことを特徴とする警光灯。
【請求項７】
ケーシングが全長に渡って透光性を有し、前記発光体の光をケーシングの長手方向略全長から放光することを特徴とする請求項１〜６のいずれかに記載の警光灯。
【発明の詳細な説明】
【技術分野】
【０００１】
本発明は、消防車などの緊急車両や建造物の緊急退避場所などに設置される警光灯、特に散光式警光灯に関する。
【背景技術】
【０００２】
緊急車両のルーフ上に設置される警光灯は、横長透光性のグローブを含む筐体（ケーシング）内の複数箇所に回転灯を配設した散光式警光灯が一般に使用される。このような警光灯のなかには、筐体の長手方向中間位置にスピーカを収納したスピーカ部を設けたものがある（特許文献１参照）。
【特許文献１】特開２００１−１１６７４号公報
【発明の開示】
【発明が解決しようとする課題】
【０００３】
特許文献１に記載のものでは、筐体の下面の長手方向端部に脚（脚体）としての取付金具を取付け、この取付金具を介して緊急車両のルーフ等に設置する。また、筐体内に収納されるスピーカは、筐体の長手方向中央部に配置される。
【０００４】
しかしながら、スピーカはその重量が比較的大であり、長手方向中央部にこのスピーカが配置されれば、この長手方向中央部に大きな加重が作用するので、筐体の剛性を大とする必要があり、そのために、筐体の肉厚を大としたり、高剛性を示す材質のもの採用したりする必要がある。しかも、スピーカを収納する分、筐体が大型化する。
【０００５】
そこで、本発明は前述の問題点に鑑みて提案されたもので、その目的とするところは、コンパクト化を図ることができるとともに、安定した設置が可能な警光灯を提供することにある。
【課題を解決するための手段】
【０００６】
少なくとも長手方向両端部を透光性を有する発光部とした横長のケーシングと、このケーシングの発光部内に収納される発光体と、ケーシングの長手方向両端部を支持する脚体とを備えた警光灯であって、前記脚体を、スピーカを内装したスピーカ収納ケースにて構成し、かつ、前記ケーシングの下面に凹部を設けるとともに、この凹部にスピーカ収納ケースの上部を嵌合させてこのスピーカ収納ケースを前記ケーシングに取付けたものである。
【０００７】
前記脚体を、スピーカを内装したスピーカ収納ケースにて構成するので、スピーカをケーシング内に収納する必要がない。このため、ケーシングのコンパクト化を図ることができる。また、スピーカ収納ケースが脚体となるので、脚体が必要としていた上下方向スペースにスピーカを配置することになり、この警光灯の高さが大となるのを回避できる。特に、ケーシングの下面に凹部を設け、この凹部にスピーカ収納ケースを嵌合させれば、警光灯全体の高さ寸法を小さくできる。
【０００８】
各スピーカ収納ケース内のスピーカの放音口の向きを一致させたり、相違させたりすることができる。また、各スピーカ収納ケースにはそれぞれ２個のスピーカを内装し、スピーカ収納ケース毎に、一方のスピーカの放音口を前向きとするとともに、他方のスピーカの放音口の後向きとすることができる。ここで、前向きとは、この警光灯が緊急車両に設置された際の緊急車両の前方を向くことであり、後向きとは、緊急車両の後方を向くことである。
【０００９】
また、脚体を、サイレンを内装したサイレン収納ケースにて構成してもよい。このため、サイレンをケーシング内に収納する必要がなく、ケーシングのコンパクト化を図ることができる。サイレン収納ケースが脚体となるので、脚体が必要としていた上下方向スペースにサイレンを配置することになり、この警光灯の高さが大となるのを回避できる。
【００１０】
２個の脚体のうち、一方をスピーカを内装したスピーカ収納ケースにて構成するともに、他方をサイレンを内装したサイレン収納ケースにて構成してもよい。
【００１１】
このように、スピーカ収納ケース及びサイレン収納ケースが脚体となるようにすれば、スピーカ及びサイレンをケーシング内に収納する必要がない。このため、ケーシングのコンパクト化を図ることができる。脚体が必要としていた上下方向スペースにスピーカ及びサイレンを配置することになり、この警光灯の高さが大となるのを回避できる。
【００１２】
ケーシングが全長に渡って透光性を有し、前記発光体の光をケーシングの長手方向略全長から放光することができる。
【発明の効果】
【００１３】
本発明によれば、スピーカやサイレンをケーシング内に収納する必要がなく、ケーシングのコンパクト化を図ることができる。しかも、ケーシングを高剛性とする必要がなくなって、ケーシングの肉厚を比較的薄く設定でき、重量の軽減を図ることが可能であって、取り扱い易くなる。さらに、ケーシングの材質としても、選択の幅が広く種々のものを使用することができ、設計自由度が大となる。スピーカ収納ケースやサイレン収納ケースが脚体となるので、脚体が必要としていた上下方向スペースにスピーカやサイレンを配置することになり、この警光灯の高さが大となるのを回避でき、警光灯を含めた車両の高さが高くなるのを抑えることができる。特に、ケーシングの下面に凹部を設けたものでは、警光灯全体の高さ寸法を小さくでき、コンパクト化を図る上でより好ましい。このように、高さ寸法を小とすることによる薄型化によって、省資源化及びコストダウンを図ることができる。
【００１４】
各スピーカ収納ケース内のスピーカの放音口の向きを一致させれば、各スピーカから同一方向に向かって音声等を放音することができ、各スピーカからの出力が小さくても、この同一方向に大きく出力することができる。このため、各スピーカの小型を図ることができる。
【００１５】
また、各スピーカ収納ケース内のスピーカの放音口の向きを相違させれば、各スピーカから放音される音声等の方向が相違するので、警光灯に対して各スピーカの放音口側の歩行者等に向かって放音することができる。これによって、広範囲の人に音声等による警告を行うことができる。
【００１６】
各スピーカ収納ケース９にそれぞれ２個のスピーカ８を内装するようにして、スピーカ収納ケース毎に、一方のスピーカの放音口を前向きとするとともに、他方のスピーカの放音口を後向きとするようにできる。これにより、前方及び後方に向けて音声などを放音することができ、警報・警告の効果が向上する。
【００１７】
ケーシングが全長に渡って透光性を有し、前記発光体の光をケーシングの長手方向略全長から放光することができる。これにより、広範囲の歩行者等が警告光を知ることができる。すなわち、従来のように長手方向中央部にスピーカを配置したものと本発明の警光灯とを比較した場合、その長手方向長さが同じであれば、警告光を広範囲に発光させることができ、発光量が同じであれば、本発明の警光灯の長手方向長さを短くできる。
【発明を実施するための最良の形態】
【００１８】
以下本発明の実施の形態を図１〜図１７に基づいて説明する。
【００１９】
図１〜図４は比較例１を示し、この比較例１における警光灯１は、ケーシング２と、ケーシングの収納される回転灯等からなる発光体３と、ケーシング２の長手方向両端部を支持する脚体４とを備える。
【００２０】
ケーシング２は、赤、青、黄色等の有色に着色された透光性を有する樹脂製の中空横長扁平体からなる。ケーシング２は、上壁２ａと、下壁２ｂと、前壁２ｃと、後壁２ｄと、左側壁２ｅと、右側壁２ｆとからなる。発光体３の光がケーシング２を透過する際に、ケーシング２の色が着色され、このケーシング２の色の光を放光する。このように、この実施形態では、ケーシング２に、長手方向全長にわかって発光部７が形成される。
【００２１】
発光体３を構成する回転灯は、図３に示すように、２つの椀形状体５、５を有する反射筒６と、この反射筒６の中心部に配設されるハロゲンランプ等の発光部（図示省略）とを有し、図示省略の駆動機構にてその軸心廻りに回転する。
【００２２】
脚体４は、図４に示すように、スピーカ８が収納されるスピーカ収納ケース９にて構成している。スピーカ収納ケース９は、断面矩形状の周壁９ａと、この周壁９ａの一方（後方）側の開口部を塞ぐ後壁９ｂと、スピーカ８を保持する仕切壁９ｃとからなる。周壁９ａは、水平壁からなる上壁２９と、水平壁からなる下壁３０と、下方側が内部側へ湾曲した側壁３１ａ、３１ｂとからなる。
【００２３】
スピーカ８は、ドライブ部１０と放音部（ホーン）１１とを備える。ドライブ部１０は、仕切壁９ｃと後壁９ｂとの間に形成されるドライブ部収納室１２に収納される。この場合、仕切壁９ｃの中心ボス部１３の中心孔１４は、ドライブ部収納室側の大径部１４ａと、反ドライブ部収納室側の中径部１４ｂと、大径部１４ａと中径部１４ｂとの間の小径部１４ｃとからなり、大径部１４ａにドライブ部１０の出力部１０ａが嵌合され、ドライブ部１０がドライブ部収納室１２に支持される。
【００２４】
放音部１１は、中心ボス部１３の中心孔１４の中径部１４ｂにその基部が嵌合されて第１ホーン部１５ａを形成する第１筒状体１５と、第１筒状体１５の外周側を包囲状して第２ホーン部１６ａを形成する第２筒状体１６を備える。第２筒状体１６には、第１筒状体１５の音声放射口１７に相対面する反射面部１８が連設されている。
【００２５】
第１筒状体１５は、内径および外径が仕切壁９ｃ側（ケース内部側）から順次反射面部１８側（ケース外部側）に向かって順次拡径している。また、第２筒状体１６は、内径および外径が反射面部１８側から仕切壁９ｃ側に向かって拡径している。
【００２６】
第２筒状体１６の外周側は、スピーカ収納ケース９の仕切壁９ｃよりも開口部側の周壁９ａにて包囲されている。このため、この包囲部が放音部１１の第３ホーン部１９ａを構成する。
【００２７】
前記スピーカ８は、ドライブ部１０によって発生した音が、第１ホーン部１５ａを通過し、反射面部１８で反射されて第２ホーン部１６ａを通過し、仕切壁９ｃで反射されて第３ホーン部１９ａを通過してスピーカ開口（放音口）２０から放射される。すなわち、スピーカ８の放音口２０から、消防広報メーセージ等を放音することができる。
【００２８】
ケーシング２の底壁（下壁）２ｂには、図４に示すように孔部（窓部）２１が形成され、この孔部２１がケース取付け板２２にて塞がれている。ケース取付け板２２は、基板部２２ａを備え、基板部２２ａの前方側及び後方側に中空室２３ａ、２３ｂ、２４ａ、２４ｂが設けられている。また、ケース取付け板２２の端縁には、底壁２ｂの孔部２１の端縁の嵌合片部２５が嵌合する嵌合溝２６が形成されている。
【００２９】
また、中空室２３ａ、２３ｂにねじ部材２８の頭部２８ａが嵌合され、中空室２３ａ、２３ｂの下壁の長手方向に沿った貫通孔２７に、ねじ部材２８のねじ軸部２８ｂが挿通さされている。そして、この中空室２３ａ、２３ｂにその頭部２８ａが嵌合されたねじ部材２８が、ケース９の周壁９ａの上壁２９の貫孔（円孔）３３に挿通されてケース内部に突入する。このねじ部材２８のケース突入部にナット部材３２が螺着することによって、ケース９をケーシング２に取付けることができる。
【００３０】
ねじ部材２８をケース長手方向にスライドさせることによって、ケース９のケース長手方向位置を変更することができる。すなわち、ケース９にて構成される脚体４、４をケース長手方向に沿って図１に示すように矢印Ａ、Ｂ方向にスライドさせることができる。
【００３１】
ケース９の周壁９ａの下壁３０には、緊急車両等の被取付部位（図示省略）に取付けるためのねじ部材３４が取付けられている。取付ける際には、例えば、ケース９の前壁２ｃを前方に向けて、スピーカ８の放音口２０が前方を向く（前向きとなる）ように設置することができる。ここで、前向きとは、この警光灯が緊急車両に設置された際の緊急車両の前方を向くことである。また、逆に、ケース９の後壁２ｄを前方に向けて、スピーカ８の放音口２０が後方を向く（後向きとなる）ように設置してもよい。後向きとは、緊急車両の後方を向くことである。
【００３２】
この比較例１の警光灯では、スピーカ８をケーシング２内に収納する必要がなく、ケーシング２のコンパクト化を図ることができる。しかも、ケーシング２を高剛性とする必要がなくなって、ケーシング２の肉厚を比較的薄く設定でき、重量の軽減を図ることが可能であって、取り扱い易くなる。さらに、ケーシング２の材質としても、選択の幅が広く種々のものを使用することができ、設計自由度が大となる。スピーカ収納ケース９が脚体となるので、脚体４が必要としていた上下方向スペースにスピーカ８を配置することになり、この警光灯の高さが大となるのを回避できる。警光灯を含めた車両の高さが高くなるのを抑えることができる。
【００３３】
各スピーカ収納ケース９内のスピーカ８の放音口２０の向きを一致させている（前向きしている）ので、各スピーカ８から同一方向（前方）に向かって音声等を放音することができ、各スピーカ８からの出力が小さくても、全体として大きくなる。このため、各スピーカ８の小型を図ることができる。
【００３４】
また、ケーシング２が全長に渡って透光性を有しているので、前記発光体３の光をケーシングの長手方向略全長から放光することができる。すなわち、従来のように長手方向中央部にスピーカを配置したものと本発明の警光灯とを比較した場合、その長手方向長さが同じであれば、警告光を広範囲に発光させることができ、発光量が同じであれば、本発明の警光灯の長手方向長さを短くできる。
【００３５】
比較例１では、脚体４、４をケース長手方向に沿って矢印Ａ、Ｂ方向にスライドさ
せることができるので、被設置部位（取付部位）に応じて脚体４、４の位置を変更して対
応することができる。このため、取付け作業性を向上させることができる。
【００３６】
次に、図５〜図７は本発明にかかる実施形態を示し、この場合、ケース９の周壁９ａの下壁３０に、ねじ軸取付け片３５が付設されている。ねじ軸取付け片３５は、周壁９ａの下壁３０の固着される脚体受け片部３５ａと、ねじ軸３６が固着される支持片部３５ｂと、脚体受け片部３５ａと支持片部３５ｂとを連結する連結片部３５ｃとからなる。
【００３７】
脚体受け片部３５ａは、周壁９ａの下壁３０の下面にボルトとナットとからなる固着具３７にて固着され、下壁３０の中心線に沿って配設される。また、支持片部３５ｂは、連結片部３５ｃを介して長手方向外方へ延びて、周壁９ａの下壁３０と略平行に配置される。このため、この警光灯は、緊急車両等の被取付部位上に載置した状態でねじ軸３６を介して被取付部位に取付けることができる。
【００３８】
また、本実施形態の警光灯では、ケーシング２の下壁２ｂに合する凹部３８、３８が設けられ、スピーカ収納ケース９の上部がこの凹部３８に嵌合している。このため、ピーカ収納ケース９の長手方向のスライドが規制されるので、ケーシング２の下壁２ｂの貫通孔２７を長孔とする必要がない。
【００３９】
なお、図５〜図７に示す警光灯において、他の構成は図１等に示す警光灯と同様であるので、同一構成については図１等に示す同一の符号を付してそれらの説明は省略する。
【００４０】
このため、脚体４、４をケース長手方向に沿って矢印Ａ、Ｂ方向にスライドさせることができない点を省いて、図５〜図７に示す警光灯においても、図１等に示す警光灯と同様の作用効果を奏する。
【００４１】
実施形態のように、ねじ軸取付け片３５を有する場合、図８に示すように、各脚体４に２個設けるようにしてもよい。この場合、一方のねじ軸取付け片３５Ａがケーシング長手方向内側に配置され、他方のねじ軸取付け片３５Ｂがケーシング長手方向外側に配置される。そして、一方のねじ軸取付け片３５Ａの支持片部３５ｂが下壁３０の中心線に沿って配設される。なお、仮想線で示す一方のねじ軸取付け片３５Ａを省略しても、実線で示す他方のねじ軸取付け片３５Ｂを省略してもよい。
【００４２】
前記図５や図８等に示すように、ケーシング２に脚体４の上部が嵌合する凹部３８を設ければ、警光灯全体の高さ寸法を小さくでき、コンパクト化を図る上でより好ましい。このように、高さ寸法を小さくすることによる薄型化によって、省資源化及びコストダウンを図ることができる。
【００４３】
また、スピーカ収納ケース９として、図９と図１０に示すようなものであってもよい。この場合、スピーカ収納ケース９は、下壁３０が内部側へ膨出する湾曲壁からなり、この下方開口部を基板４０にて塞いでいる。そして、基板４０からねじ部材３４のねじ軸が突設されている。
【００４４】
なお、図５等に示すねじ軸３６（頭を有さないねじ軸）を設ける場合、図１１と図１２に示すように、ねじ軸取付け片３５を省略することも可能である。この際、ねじ軸３６の基部をスピーカ収納ケース９の下壁３０に埋設すればよい。また、図１３と図１４に示すように、ねじ軸３６を有さないものであってもよい。
【００４５】
ケーシング２として、図１５に示すように、長手方向中央部の下部に標識部４１を備えたものであっても、図１６に示すように、長手方向中央部の下部に膨出部４２を備えたものであってもよい。
【００４６】
すなわち、図１５に示す標識部４１は、前面に透光性を有する標識パネル４３を備えたケース４４と、このケース４４内に収納されるバックライト（図示省略）とからなる。標識パネル４３には、例えば、図例のように「標識灯」の文字が記載（塗布）されている。バックライトの背面照明でこの「標識灯」の文字を鮮明に表示するようにしている。すなわち、「標識灯」の認識性を高めて、外部からこの文字を確認できるようにしている。なお、標識パネル４３に表示される文字は「標識灯」に限るものではなく、また、表示されるものとしては、文字に限らず、記号や絵等であってもよい。
【００４７】
また、図１６に示す膨出部４２を設けたものでは、ケーシング２からの光の警光効果を一層高めることができる。
【００４８】
図１５及び図１６に示すケーシング２に取付ける脚体４は、前記比較例１及び実施形態等に示す種々のケース９を使用することができる。
【００４９】
ところで、前記実施形態等では、各スピーカ収納ケース９内のスピーカ８のスピーカ開口（放音口）２０が前方に向いているが、逆に後方を向くようにしてもよく、さらには、一方のスピーカ収納ケース９内のスピーカ８の放音口２０を前方に向けるとともに、他方の  スピーカ収納ケース９内のスピーカ８の放音口２０を後方に向けるようにしてもよい。
【００５０】
各スピーカ収納ケース９内のスピーカ８の放音口２０の向きを相違させれば、各スピーカ８から放音される音声等の方向が相違するので、警光灯に対して各スピーカ８の放音口２０側の歩行者等に向かって放音することができる。これによって、広範囲の人に音声等による警告を行うことができる。
【００５１】
さらに、各スピーカ収納ケース９にはそれぞれ２個のスピーカ８を内装するようにして、スピーカ収納ケース９毎に、一方のスピーカ８の放音口２０を前向きとするとともに、他方のスピーカ８の放音口２０を後向きとすることができる。これにより、前方及び後方に向けて音声などを放音することができ、警報・警告の効果が向上する。
【００５２】
ところで、脚体４をスピーカ収納ケース９にて構成していたが、図１７に示す第３実施形態のように、サイレン（モータサイレン）５０を内装したサイレン収納ケース５１にて脚体４を構成してもよい。このサイレン収納ケース５１は、例えば、図１に示すスピーカ収納ケース９の仕切壁９ｃを省略したものにて構成することができる。すなわち、サイレン収納ケース５１は、上壁５１ａと下壁５１ｂと側壁５１ｃと側壁５１ｄとからなる周壁５２と、周壁５２の後方開口部を塞ぐ後壁５３とを備える。
【００５３】
サイレン５０は、サイレン本体５０ａと、このサイレン本体５０ａの胴部から突設される一対の脚５０ｂ、５０ｂとからなる。そして、脚５０ｂ、５０ｂがサイレン収納ケース５１の下壁５１ｂにボルト・ナット結合等の取付手段を介して固着される。これによって、サイレン５０がスピーカ収納ケース９に内装される。この際、サイレン５０の放音口５５が、サイレン収納ケース５１の開口部５６を介して外部に開口している。このため、この警光灯１はサイレン５０からサイレン音を放音することができる。
【００５４】
なお、図１７に示す警光灯において、他の構成は前記図１等に示す警光灯と同様であるので、図１の警光灯と同一構成については同一の符号を付してそれらの説明を省略する。
【００５５】
このように、脚体４をサイレン収納ケース５１にて構成すれば、サイレン５０をケーシング２内に収納する必要がなく、ケーシング２のコンパクト化を図ることができる。しかも、ケーシング２を高剛性とする必要がなくなって、ケーシング２の肉厚を比較的薄く設定でき、重量の軽減を図ることが可能であって、取り扱い易くなる。さらに、ケーシング２の材質としても、選択の幅が広く種々のものを使用することができ、設計自由度が大となる。サイレン収納ケース５１が脚体となるので、脚体４が必要としていた上下方向スペースにサイレン５０を配置することになり、この警光灯の高さが大となるのを回避でき、警光灯を含めた車両の高さが高くなるのを抑えることができる。
【００５６】
前記サイレン５０が内装されるサイレン収納ケース５１としては、前記各実施形態における種々のスピーカ収納ケース９を用いることができる。サイレン５０も既存の種々ものを使用することができる。なお、サイレン収納ケース５１において、開口部５６を、サイレン音の放音を妨げないもの、例えばメッシュ部材等にて塞ぐようにするも好ましい。このように、サイレン収納ケース５１の開口部５６を塞げば、ごみ等の異物のケース内への進入を防止することができる。
【００５７】
また、２個の脚体４、４のうち、一方の脚体４をスピーカ収納ケース９とし、他方の脚体４をサイレン収納ケース５１とするようにしてもよい。スピーカ８から音声などを放音することができ、サイレン５０からサイレン音を放音することができる。これによれば、警報・警告の方法が拡大する。
【００５８】
スピーカ収納ケース９等にて構成される脚体４は、２個に限るものではなく、３個以上であっても、逆にケーシング長手方向中央部等に１個が配設されるものであってもよい。また、スピーカ８として、図４等に示すものに限るものではなく、既存の種々のスピーカを採用することができる。また、スピーカ８やサイレン５０の放音口２０、５５が前後方向に対して直交する横方向や斜め方向に向いていてもよい。
【００５９】
前記実施形態では、ケーシング２が全長に渡って透光性を有していたが、長手方向両端部のみが透光性を有するものであってもよい。すなわち、長手方向両端部のみが発光部７に形成されるものであってもよい。
【図面の簡単な説明】
【００６０】
【図１】本発明に係る警光灯の比較例１の正面図である。
【図２】図１に示す警光灯の側面図である。
【図３】図１に示す警光灯の平面図である。
【図４】図１に示す警光灯の拡大断面図である。
【図５】本発明に係る警光灯の実施形態の正面図である。
【図６】図５に示す警光灯の側面図である。
【図７】図５に示す警光灯の拡大断面図である。
【図８】一つの脚体にねじ軸取付け片を２個取付け可能な警光灯の正面図である。
【図９】他の脚体の正面図である。
【図１０】図９の脚体の側面図である。
【図１１】別の脚体の正面図である。
【図１２】図１１の脚体の側面図である。
【図１３】さらに別の脚体の正面図である。
【図１４】図１３の脚体の側面図である。
【図１５】他のケーシングの正面図である。
【図１６】別のケーシングの正面図である。
【図１７】本発明に係る警光灯の比較例２の正面図である。
【符号の説明】
【００６１】
１     警光灯
２     ケーシング
２ａ   上壁
２ｂ   下壁
２ｃ   前壁
２ｄ   後壁
２ｅ   左側壁
２ｆ   右側壁
３     発光体
４     脚体
５     椀形状体
６     反射筒
７     発光部
８     スピーカ
９     スピーカ収納ケース
９ａ   周壁
９ｂ   後壁
９ｃ   仕切壁
１０   ドライブ部
１０ａ 出力部
１１   放音部
１２   ドライブ部収納室
１３   中心ボス部
１４   中心孔
１４ａ 大径部
１４ｂ 中径部
１４ｃ 小径部
１５   筒状体
１５ａ ホーン部
１６   筒状体
１６ａ ホーン部
１７   音声放射口
１８   反射面部
１９ａ ホーン部
２０   スピーカ開口
２０   放音口
２１   孔部
２２   ケース取付け板
２２ａ 基板部
２３ａ 中空室
２５   嵌合片部
２６   嵌合溝
２７   貫通孔
２８、３４    ねじ部材
２８ａ 頭部
２８ｂ 軸部
２９   上壁
３０   下壁
３１ａ 側壁
３２   ナット部材
３５、３５Ａ、３５Ｂ ねじ軸取付け片
３５ａ 脚体受け片部
３５ｂ 支持片部
３５ｃ  連結片部
３６   ねじ軸
３７   固着具
３８   凹部
４０   基板
４１   標識部
４２   膨出部
４３   標識パネル
４４   ケース
５０  サイレン
５０ａ  サイレン本体
５０ｂ  脚
５１  サイレン収納ケース
５１ａ  上壁
５１ｂ  下壁
５１ｃ  側壁
５１ｄ  側壁
５２    周壁
５３   後壁
５５  放音口
５６  開口部
【図１】
0004515376.tif 000002
【図２】
0004515376.tif 000003
【図３】
0004515376.tif 000004
【図４】
0004515376.tif 000005
【図５】
0004515376.tif 000006
【図６】
0004515376.tif 000007
【図７】
0004515376.tif 000008
【図８】
0004515376.tif 000009
【図９】
0004515376.tif 000010
【図１０】
0004515376.tif 000011
【図１１】
0004515376.tif 000012
【図１２】
0004515376.tif 000013
【図１３】
0004515376.tif 000014
【図１４】
0004515376.tif 000015
【図１５】
0004515376.tif 000016
【図１６】
0004515376.tif 000017
【図１７】
0004515376.tif 000018